(57)【要約】【課題】焼き上がったステーキから滲み出る肉汁や油など不必要な流動物の付着による食味の低下を防止する。【解決手段】鉄皿面の中央部あるいは立ち上がり壁寄りの部分に長溝又は丸溝などの肉より径の小さな流動物溜まり部を施こす。これにより調理されたステーキが保温されている間に滲み出した肉汁や油などの不要な流動物が長溝又は丸溝による流動物溜まり部内に流れ落ちて溜まるために調理品であるステーキに付着して食味を低下させることがない。また鉄皿の使用後においても不要な流動物は長溝又は丸溝などの流動物溜まり部内に溜まっているために、鉄皿面の全体に分散付着している場合に比べて洗浄しやすく、取り扱い性に優れる。【選択図】図１
0003126451.tif 000002
【実用新案登録請求の範囲】
【請求項１】
周縁部に立ち上がり壁を設けてその内側を平坦な肉載せ用皿面とした鉄板皿において、皿面の中央部あるいは立ち上がり壁寄りの部分に肉より径の小さな流動物溜まり部を施してなることを特徴としたステーキ用鉄板皿。
【請求項２】
皿面に施した流動物溜まり部が、長溝又は丸溝のうち少なくとも一方または両方であるところの請求項１に記載のステーキ用鉄板皿。
【考案の詳細な説明】
【技術分野】
【０００１】
本考案は、ステーキ用の肉を載せてそのまま加熱することによりステーキとして焼き上げ、あるいは焼き上がったステーキを載せて料理として食卓上に差し出すためのステーキ用鉄板皿の改良に関し、ステーキとしての食味の向上をはかることを目的とする。
【背景技術】
【０００２】
ステーキ用の調理皿としては、焼き上がり温度が急激に低下しないように、一般的には例えば実開平５−５１１６８号公報に開示されているような厚肉の鉄板皿が用いられている。また急激な温度低下を防ぐために鉄板の裏面に蓄熱体を張り付けるようにしたもの（特開平２００３−１００２４号公報参照）、あるいは鉄板を載せる木舟の上面中央部に凹部を形成して、該凹部内に蓄熱ペレットを収容させ、この蓄熱ペレットを鉄板の底面に当接させることにより長時間にわたる保温効果を高めるようにしたもの（実開平５−８６２７１号公報参照）なども知られている。
【特許文献１】実開平５−５１１６８号公報
【特許文献２】特開平２００３−１００２４号公報
【特許文献３】実開平５−８６２７１号公報
【考案の開示】
【考案が解決しようとする課題】
【０００３】
しかしながら、上記したものは保温効果の点においては一応満足できるが、その結果として肉汁や油の余分な滲み出しといった保温による不要な流動物の流出が増大し、これがステーキ肉表面に付着して食味を損ない、また使用後の洗浄作業に手間取るなどの課題を残している。
【課題を解決するための手段】
【０００４】
そこで本考案は、ステーキ用鉄板皿として保温により流出した不要な流動物を調理ステーキに触れないように分離させて食味の低下を防ぐとともに、使用後の鉄皿の取り扱い性を良好にしたものであって、具体的には周縁部に立ち上がり壁を設けてその内側を平坦な肉載せ用皿面とした鉄板皿において、皿面の中央部あるいは立ち上がり壁寄りの部分に長溝又は丸溝などの肉より径の小さな流動物溜まり部を施してなることを特徴としたステーキ用鉄板皿に関する。
【考案の効果】
【０００５】
本考案は上記したように、鉄皿面の中央部あるいは立ち上がり壁寄りの部分に長溝又は丸溝などの肉より径の小さな流動物溜まり部を施したために、調理されたステーキが保温されている間に滲み出した肉汁や油などの不要な流動物が長溝あるいは丸溝などの流動物溜まり部内に流れ落ちて溜まるために調理品であるステーキに付着して食味を低下させることがない。
【０００６】
また鉄皿の使用後においても不要な流動物は流動物溜まり部内に溜まっているために、調理済みステーキからの流動物が鉄皿面の全体に分散付着している場合に比べて洗浄しやすく、取り扱い性に優れる。
【考案を実施するための最良の形態】
【０００７】
以下において本考案の具体的な内容を図１〜３に示す実施例をもとに説明すると、１は本考案に係るステーキ用の鉄板皿をあらわしており、該鉄板皿１は平坦な肉載せ用皿面２の周縁部には全周にわたり立ち上がり壁３が設けられて図２にあらわしたように全体が断面略凹状に構成されている。
【０００８】
さらに上記した皿面２には流動物溜まり部４・５が形成されている。すなわち流動物溜まり部４は、皿面２の中央部に細長い三本の溝４ａ〜４ｃが相互に一定の間隔を介して設けられ、さらに流動物５は、立ち上がり壁寄りの部分に、円形の溝５ａおよび５ｂが設けられて構成されている。なおこれらの細長い溝４ａ〜４ｃからなる流動物溜まり部４、又は円形の溝５ａおよび５ｂからなる流動物溜まり部５は、それぞれ皿面２上に載置されるステーキ肉片よりも径が小さいものでなければならない。
【０００９】
また皿面２上に施される流動物溜まり部については、図１から３にあらわしたように上記した細長い溝４ａ〜４ｃからなる流動物溜まり部４、又は円形の溝５ａおよび５ｂからなる流動物溜まり部５の両方であるか、あるいはいずれか一方のみであってもよい。また上記した細長い三本の溝４ａ〜４ｃについても実施例のように必ずしも三本である必要は無く２本あるいは４本以上であってもよく、また円形の溝５ａおよび５ｂについても、必ずしも円形である必要は無く、楕円もしくは四角その他の多角形状であってもよい。
【００１０】
さらに上記した三本の細長い溝４ａ〜４ｃからなる流動物溜まり部４、又は円形の溝５ａおよび５ｂからなる流動物溜まり部５などの少なくとも一方を施したステーキ用の鉄板皿１は、鋳鉄など調理加熱に対して十分に耐えられる程度の耐久性を有する材質であって、しかも調理後のステーキ肉の保熱性のためにある程度の厚みを有する形状に形成される。
【００１１】
上記した構成により、調理用の生肉を皿面２上に載せた鉄板皿１を加熱器具の上に載せた状態でステーキを焼き、あるいは調理鉄板（図示省略）上において焼き上がったステーキ肉片を木製の台座６上に載せた予熱済みの鉄板皿１の皿面２上に載せて一般家庭ではテーブル上に運び、またレストランなどにおいては顧客の飲食に供することになる。
【００１２】
この場合に加熱調理後のステーキ肉片からは経時的に肉汁や油分などの不要な流動物が流出し、通常は肉片の周りに付着してステーキの食味を損ない易いが、本考案の鉄板皿１においては皿面２に上記した長溝又は丸溝などからなる流動物溜まり部４又は５が形成されているために、肉汁や油などの不要な流動物がこれらの流動物溜まり部４又は５内に流れ落ちて溜まるために調理品であるステーキに付着して食味を低下させることがない。
【００１３】
また鉄皿の使用後においても不要な流動物は長溝又は丸溝の流動物溜まり部４又は５内に溜まっているために、鉄皿面の全体に分散付着している場合に比べて洗浄しやすく、取り扱い性に優れる。
【図面の簡単な説明】
【００１４】
【図１】本考案に係るステーキ用鉄板皿の一例をあらわした斜視図。
【図２】図１におけるＡーＡ線矢視方向の中央断面図。
【図３】本考案に係るステーキ用鉄板皿を木製の台座に載せた状態をあらわした斜視図。
【符号の説明】
【００１５】
１        鉄板皿
２        皿面
３        立ち上がり壁
４        流動物溜まり部
４ａ      細長い溝
４ｂ      細長い溝
４ｃ      細長い溝
５        流動物溜まり部
５ａ      円形の溝
５ｂ      円形の溝
６        木製の台座
【図１】
0003126451.tif 000003
【図２】
0003126451.tif 000004
【図３】
0003126451.tif 000005